(57)【要約】【課題】より簡便に紙折りができる紙折り台を提供することを目的とする。【解決手段】紙折り台は、上面と下面を有する。前記上面の幅方向における両端は平行な２辺を形成し、前記上面の２辺における角の断面は鋭角になっている。【選択図】図１
2020019269.tif 000002
【特許請求の範囲】
【請求項１】
上面と下面を有する紙折り台であって、
前記上面の幅方向における両端は平行な２辺を形成し、
前記上面の２辺における角の断面は鋭角になっている、紙折り台。
【請求項２】
前記上面の２辺の間の幅Ｗは、９８ｃｍ以上、１００ｃｍ以下である、請求項１に記載の紙折り台。
【請求項３】
前記下面の幅方向における両端は平行な２辺を形成し、
前記下面の２辺における角の断面は鋭角になっている、請求項１又は２に記載の紙折り台。
【請求項４】
前記下面の２辺の間の幅Ｗ２は、８４ｃｍ以上、８７ｃｍ以下である、請求項３に記載の紙折り台。
【請求項５】
前記上面の２辺、前記上面の２辺の裏、前記下面の２辺、及び、前記下面の２辺の裏の少なくとも１つには、目盛りが表示される、請求項３又は４に記載の紙折り台。
【請求項６】
前記上面には、前記上面の２辺の間の中央線が引かれている、請求項１〜５のいずれか１項に記載の紙折り台。
【発明の詳細な説明】
【技術分野】
【０００１】  本発明は、紙を折る作業を補助する紙折り台に関する。
【背景技術】
【０００２】  特許第６２２６４５４号公報には、紙をきれいに重ねて折るための紙折り定規が開示されている。
【先行技術文献】
【０００３】
【特許文献１】特許第６２２６４５４号公報
【発明の概要】
【発明が解決しようとする課題】
【０００４】  上記の従来の紙折り定規を使用して紙を折るためには、手順を覚える必要がある。そこで、本発明は、より簡便に紙折りができる紙折り台を提供することを目的とする。
【課題を解決するための手段】
【０００５】  本発明の１つの観点における紙折り台は、上面と下面を有する。前記上面の幅方向における両端は平行な２辺を形成し、前記上面の２辺における角の断面は鋭角になっている。上面に紙を載せ、紙の上を上面の２辺に沿ってなぞるという簡単な動作で、この２辺に沿った折り目を紙に付けることができる。また、複数の紙を、紙折り台に乗せて、紙の上を２辺に沿ってなぞることで、複数の紙を同時に折るもできる。なお、上記の上面の２辺における角の断面は、２辺に垂直な面の断面である。この断面において、上面の端から延びる上面の線と、上面の裏面の線との成す角が、鋭角になっている。なお、紙折り台を用いて、上面の２辺に沿って紙を切断することもできる。紙折り台は、紙切断台として用いることもできる。【０００６】  前記上面の２辺の間の幅Ｗは、９８ｃｍ以上、１００ｃｍ以下とすることができる。これにより、上面においてＡ４サイズの紙の三つ折りが、簡単な動作でできる。【０００７】  前記下面の幅方向における両端は平行な２辺を形成し、前記下面の２辺における角の断面は鋭角になっていてもよい。これにより、紙折り台の上面と下面の上下を逆にした状態でも使用することができる。【０００８】  前記下面の２辺の間の幅Ｗ２は、８４ｃｍ以上、８７ｃｍ以下とすることができる。これにより、下面においてＢ５サイズの紙の三つ折りが、簡単な動作でできる。【０００９】  前記上面の２辺、前記上面の２辺の裏、前記下面の２辺、及び、前記下面の２辺の裏の少なくとも１つには、目盛りが表示されてもよい。これにより、紙折り台を用いて長さを測ることができる。【００１０】  前記上面には、前記上面の２辺の間の中央線が引かれていてもよい。例えば、紙の中央が上面の中央線に位置するように紙を紙折り台に載せて紙を折ることができる。なお、前記下面に、前記下面の２辺の間の中央線が引かれていてもよい。
【図面の簡単な説明】
【００１１】
【図１】図１は、実施形態における紙折り台の斜視図である。
【図２】図２は、実施形態における紙折り台の正面図である。
【図３】図３は、実施形態の変形例における紙折り台の正面図である。
【発明を実施するための形態】
【００１２】  本実施形態では、一般的に多いＡ４サイズ２９７ｃｍの３分の１の９９センチ幅の紙折り台を用意する。台の幅方向の両端は鋭角である。両端を鋭角にするので、紙折り台を、紙の手切りに用いることもできる。例えば、Ａ４用紙を紙折り台の上に載せて、用紙の端を台の端に合わせれば、三つ折りの一つの折り目を確保できる。また、Ａ４用紙の真ん中に折り目をつけて、台の中央線に合わせれば、三つ折りに必要な二つの線を一度で確保できる。
【００１２】  本実施形態における紙折り台は、従前の機械式の三つ折り機と異なり場所と取らない。本実施形態の紙折り台は、従前の三つ折り定規と異なり、三つ折りのための手順を覚える必要もない。また一度に三つ折りを実現でき、封筒詰めを行う事務員のストレスを軽減できる。また、その他機能として、台の上面、その裏面、下面及びその裏面のうち少なくとも１つの縁に沿って内側に目盛りを設けてもよい。異なる単位（例えば、インチ、メートル等）の目盛りを複数種類提供することができる。
【００１３】  上面の幅方向両端の角の断面における角度θは、０°＜θ＜９０°である。θの範囲の下限は、好ましくは、１０°≦θ、２０°≦θ、又は、３０°≦θとすることができる。また、θの範囲の上限は、好ましくは、θ≦８０°、θ≦７０°、又は、θ≦６０°とすることができる。上面の裏面は、平面であってもよいし、曲面であってもよい。
【００１４】  上面をＡ４用紙の三つ折りに用いる場合、上面の幅Ｗは、９９ｃｍとする。この場合、上面の幅Ｗは、９８ｃｍ＜Ｗ＜１００ｃｍであってもよい。下面のＢ５用紙の三つ折りに用いる場合、下面の幅Ｗ２は、８５．６ｃｍとする。この場合、下面の幅Ｗ２は、８４ｃｍ＜Ｗ２＜８７ｃｍであってもよい。
【００１５】  紙折り台の高さＨは、例えば、１ｃｍ≦Ｈ≦３０ｃｍとしてもよい。高さＨの下限は、好ましくは、２ｃｍ≦Ｈ、３ｃｍ≦Ｈ、又は４ｃｍ≦Ｈとすることができる。高さＨの上限は、好ましくは、Ｈ≦２０ｃｍＨ、Ｈ≦１５ｃｍ、又はＨ≦１０ｃｍＨ、とすることができる。
【００１６】  紙折り台の長さＬは、例えば、３ｃｍ≦Ｌ≦４０ｃｍとしてもよい。長さＬの下限は、好ましくは、５ｃｍ≦Ｌ、７ｃｍ≦Ｌ、又は１０ｃｍ≦Ｌとすることができる。長さＬの上限は、好ましくは、Ｌ≦３０ｃｍ、Ｈ≦２１ｃｍ、又はＨ≦１０ｃｍＨ、とすることができる。
【図１】
2020019269.tif 000003
【図２】
2020019269.tif 000004
【図３】
2020019269.tif 000005
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
上板部と、
下板部と、
前記上板部と前記下板部の間に位置し、前記上板部及び前記下板部よりも幅方向に細い括れ部と、
を有する紙折り台であって、
前記上板部の幅方向における両端は平行な２辺を形成し、
前記上板部の２辺における角の断面は鋭角になっており、
前記下板部の幅方向における両端は平行な２辺を形成し、
前記下板部の２辺における角の断面は鋭角になっており、
前記上板部の２辺の間の幅は、第１の規格寸法の用紙に三つ折りの折り目を形成するための大きさを有し、
前記下板部の２辺の間の幅は、前記第１の規格寸法とは異なる第２の規格寸法の用紙に三つ折りの折り目を形成するための大きさを有する、
紙折り台。
【請求項２】
前記上板部の２辺の間の幅Ｗは、９８ｍｍ以上、１００ｍｍ以下である、請求項１に記載の紙折り台。
【請求項３】
前記下板部の２辺の間の幅Ｗ２は、８４ｍｍ以上、８７ｍｍ以下である、請求項１又は２に記載の紙折り台。
【請求項４】
前記上板部の２辺、前記上板部の２辺の裏、前記下板部の２辺、及び、前記下板部の２辺の裏の少なくとも１つには、目盛りが表示される、請求項１〜３のいずれか１項に記載の紙折り台。
【請求項５】
前記上板部には、前記上板部の２辺の間の中央線が引かれている、請求項１〜４のいずれか１項に記載の紙折り台。